(57)【要約】      （修正有）【課題】サーバからの状態確認アクセスに対する応答処理に支障を与えることなく、また、サーバと電源停止や電源投入を連携させることなく、ライブラリ装置単独での省電力な電源管理を行う。【解決手段】ライブラリ装置5は、複数のホスト1〜3と接続され、ホストからの要求によって記録媒体へのデータの記録／再生を行う複数の記録媒体ドライブ7〜10が搭載され、記録媒体が挿入されてなく、アクセスされていない記録媒体ドライブへの電源給電の停止を電源給電制御手段6cに指示すると共に、記録媒体が挿入されてなく、アクセスされていない記録媒体ドライブへのアクセス要求がホストからあったときに、要求された記録媒体ドライブへの電源給電の開始を前記電源給電制御手段6cに指示するライブラリ制御手段6aを備える。【選択図】図１
2011123934.tif 000002
【特許請求の範囲】
【請求項１】
複数のホストと接続され、前記ホストからの要求によって記録媒体へのデータの記録／再生を行う複数の記録媒体ドライブが搭載されたライブラリ装置において、
記録媒体が挿入されてなく、アクセスされていない前記記録媒体ドライブへの電源給電の停止を電源給電制御手段に指示すると共に、記録媒体が挿入されてなく、アクセスされていない前記記録媒体ドライブへのアクセス要求が前記ホストからあったときに、要求された記録媒体ドライブへの電源給電の開始を前記電源給電制御手段に指示するライブラリ制御手段と、
前記ライブラリ制御手段からの指示に基づいて、前記記録媒体ドライブへの電源給電を制御する電源給電制御手段とを備えることを特徴とするライブラリ装置。
【請求項２】
前記記録媒体の搬送手段をさらに備え、
前記ライブラリ制御手段は、記録媒体が挿入されてなく、ホストからアクセスされていない前記記録媒体ドライブへのアクセス要求が前記ホストからあったときに、指定された記録媒体の前記記録媒体ドライブへの搬送を、前記搬送手段に指示することを特徴とする請求項１記載のライブラリ装置。
【請求項３】
複数のホストと接続され、前記ホストからの要求によって記録媒体へのデータの記録／再生を行う複数の記録媒体ドライブが搭載されたライブラリ装置の省電力電源管理方法において、
前記ライブラリ装置は、ライブラリ制御手段と、電源給電制御手段とを備え、
前記ライブラリ制御手段は、記録媒体が挿入されてなく、アクセスされていない前記記録媒体ドライブへの電源給電の停止を前記電源給電制御手段に指示すると共に、記録媒体が挿入されてなく、アクセスされていない前記記録媒体ドライブへのアクセス要求が前記ホストからあったときに、要求された記録媒体ドライブへの電源給電の開始を前記電源給電制御手段に指示し、
前記電源給電制御手段は、前記ライブラリ制御手段からの指示に基づいて、前記記録媒体ドライブへの電源給電を制御することを特徴とするライブラリ装置の省電力電源管理方法。
【請求項４】
前記ライブラリ制御手段は、記録媒体が挿入されてなく、ホストからアクセスされていない前記記録媒体ドライブへのアクセス要求が前記ホストからあったときに、指定された記録媒体の前記記録媒体ドライブへの搬送を、搬送手段に指示することを特徴とする請求項３記載のライブラリ装置の省電力電源管理方法。
【発明の詳細な説明】
【技術分野】
【０００１】
本発明は、ライブラリ装置及びその省電力電源管理方法に係り、特に、磁気テープ、磁気ディスク等の記録媒体ドライブの複数台が内部に搭載されたライブラリ装置及びその省電力電源管理方法に関する。
【背景技術】
【０００２】
近年、省エネルギーに対する企業や個人の意識が高まり、コンピュータシステムの導入時における製品の選択条件としても省電力性が重要視されるようになってきた。そして、サーバやパーソナルコンピュータ等の電子計算機及び磁気ディスク装置に対する省エネルギー化は、企業団体によりガイドライン化され消費電力値の基準が設けられることにより、各企業によって省電力化への取組みが行われてきている。しかし、コンピュータシステム全体の省電力化が求められている近年において、磁気テープ装置や磁気テープライブラリ装置といった周辺機器においても省電力化が無視できない状況にある。
【０００３】
一方、企業や個人の扱うデータの多様化や企業の扱うデータの長期保管の義務化に伴い、保管すべきデータ量が増大しており、データの記録と保管とを行うためのライブラリ装置は、より大容量で大型な装置が必要となっている。しかし、磁気テープライブラリ装置、磁気ディスクライブラリ装置等のライブラリ装置が消費する電力量は、その大型化に伴い増加する傾向にある。このことは、コンピュータシステムの省電力化の妨げとなるだけでなく、２４時間稼動を行うコンピュータシステムにとって、更なる運用コストの増大につながることになる。
【０００４】
そこで、周辺機器の省電力化を行い、運用コストの削減を図るための一般的な電源制御方法として、ホストサーバ装置の電源と、ホストサーバ装置がアクセスするストレージ装置の電源とを連動させて、電源停止や電源投入を行うという方法が知られている。
【０００５】
しかし、前述の方法は、ストレージ装置に対して複数のホストサーバ装置からアクセスがある場合、ある上位装置であるホストサーバの電源を停止しても、その他のホストサーバ装置からアクセスがあるため、ストレージ装置全体の電源を停止することができないという問題点を有するものである。
【０００６】
このような問題点を解決することのできる従来技術として、例えば、特許文献１等に記載された技術が知られている。この従来技術は、磁気ディスク装置における電源制御の技術に関するもので、複数の磁気ディスク装置を搭載するストレージ装置において、ホストサーバ装置とホストサーバ装置がアクセスする磁気ディスク装置とを対応付けて、ホストサーバ装置の電源制御と磁気ディスク装置の稼動制御とを連携させる電源管理手段を管理サーバに設け、ホストサーバ装置毎に対応付けられた磁気ディスク装置に対して電源停止や電源投入を行うことにより、ストレージ装置全体の電源を停止することなく、ストレージ装置の省電力化を実現することができるようにしたものである。
【先行技術文献】
【特許文献】
【０００７】
【特許文献１】特開２００８−１７１１３４号公報
【発明の概要】
【発明が解決しようとする課題】
【０００８】
前述した従来技術は、ホストサーバ装置とホストサーバ装置がアクセスする磁気ディスク装置とを対応付けて、ホストサーバ装置の電源制御と磁気ディスク装置の稼動制御とを連携させる電源管理手段を管理サーバに設け、ホストサーバ装置毎に対応付けられた磁気ディスク装置のみの電源停止や電源投入を行うものである。このため、前述の従来技術は、ストレージ装置の電源制御がホストサーバ装置の稼動状態に依存したものとなり、ホストサーバ装置をストレージ装置を利用する業務以外の業務に使用した場合に、ストレージ装置単独での省電力制御を行うことができないという問題点を有している。
【０００９】
そして、ホストサーバ装置から利用される時間帯が限定されるライブラリ装置を使用したデータバックアップ等の用途においては、ホストサーバ装置と電源停止や電源投入を連携させることなく、ライブラリ装置単独での省電力な電源管理が求められている。
【００１０】
本発明の目的は、前述したような点に鑑みて、ホストサーバからの状態確認アクセスに対する応答処理に支障を与えることなく、また、ホストサーバと電源停止や電源投入を連携させることなく、ライブラリ装置単独での省電力な電源管理を行うことを可能としたライブラリ装置及びその省電力電源管理方法を提供することにある。
【課題を解決するための手段】
【００１１】
本発明によれば前記目的は、複数のホストと接続され、前記ホストからの要求によって記録媒体へのデータの記録／再生を行う複数の記録媒体ドライブが搭載されたライブラリ装置において、記録媒体が挿入されてなく、アクセスされていない前記記録媒体ドライブへの電源給電の停止を電源給電制御手段に指示すると共に、記録媒体が挿入されてなく、アクセスされていない前記記録媒体ドライブへのアクセス要求が前記ホストからあったときに、要求された記録媒体ドライブへの電源給電の開始を前記電源給電制御手段に指示するライブラリ制御手段と、前記ライブラリ制御手段からの指示に基づいて、前記記録媒体ドライブへの電源給電を制御する電源給電制御手段とを備えることにより達成される。
【発明の効果】
【００１２】
本発明によれば、記録媒体が挿入されていない（ホストサーバからアクセスされていない）記録媒体ドライブの電源給電を停止し、ホストサーバからの要求があった場合にアクセス性能を低下させることなく記録媒体ドライブの電源給電を開始させることができ、これにより、ライブラリ装置の省電力化を図ることができる。
【図面の簡単な説明】
【００１３】
【図１】本発明の一実施形態による磁気テープライブラリ装置の概略構成を示すブロック図である。
【図２】テーブル管理手段が作成／更新するドライブ管理テーブルの構成を示す図である。
【図３】磁気テープライブラリ装置に電源が投入されたときの処理動作を説明するフローチャートである。
【図４】磁気テープドライブに対する電源停止の処理動作を説明するフローチャートである。
【図５】磁気テープドライブへの電源投入及び磁気テープ媒体の搬送の処理動作を説明するフローチャートである。
【発明を実施するための形態】
【００１４】
以下、本発明によるライブラリ装置及びその省電力電源管理方法の実施形態を図面により詳細に説明する。以下に説明する本発明の実施形態は、磁気テープライブラリ装置を例とするが、本発明は、記録媒体として磁気テープだけでなく、磁気ディスク、光ディスク等を使用するライブラリ装置に適用することができる。
【００１５】
図１は本発明の一実施形態による磁気テープライブラリ装置の概略構成を示すブロック図である。
【００１６】
本発明の実施形態による磁気テープライブラリ装置５は、図１に示しているように、複数のホストサーバ１〜３がホストインタフェース分配機器４によって接続されて使用される。ホストインタフェース分配機器４は、例えば、ファイバーチャネル・ハブやＳＣＳＩインタフェースを用いて構成され、ホストサーバ１〜３のそれぞれと磁気テープライブラリ装置５及び内蔵される磁気テープドライブ７〜１０との間を接続している。
【００１７】
磁気テープライブラリ装置５は、ホストインタフェース分配機器４に対する応答制御及び磁気テープライブラリ装置５を構成する各部の管理、動作指示を行う制御部６と、磁気テープ媒体へのデータ記録／再生を行う少なくとも１つ以上の磁気テープドライブ７〜１０と、磁気テープ媒体の移動を行う搬送機構１１〜１３と、磁気テープライブラリ装置５内で磁気テープ媒体を保管するための収納棚１４とを備えて構成される。
【００１８】
制御部６は、ホストインタフェース分配機器４に対する応答制御及び各部の管理、動作指示を行うライブラリ制御手段６ａと、ドライブ管理テーブルを作成／更新するテーブル管理手段６ｂと、ライブラリ制御手段６ａからの指示に基づいて、磁気テープドライブ７〜１０の電源の給電停止と給電開始とを行う電源給電制御手段６ｃとを有して構成される。
【００１９】
電源給電制御手段６ｃは、例えば、リレースイッチ等のスイッチング部品を用いて、磁気テープドライブ７〜１０に対する電源の給電をオン／オフすることにより容易に構成することができる。
【００２０】
次に、図１を参照して、磁気テープライブラリ装置５における磁気テープ媒体へデータを記録／再生する基本動作を説明する。なお、ここでは、磁気テープライブラリ装置５内の磁気テープドライブ７〜１０は、電源の供給が行われていて、使用準備が完了した状態にあるものとする。
【００２１】
複数のホストサーバ１〜３のそれぞれは、予め磁気テープライブラリ装置５に対して装置構成情報取得コマンド（Read Element Status コマンド）を発行して、磁気テープライブラリ装置５内の磁気テープドライブ７〜１０の位置情報と収納棚１４内の磁気テープ媒体の位置情報とを取得し、取得したそれらの情報をアプリケーションソフトウェアによって管理している。
【００２２】
いま、ホストサーバ１が磁気テープライブラリ装置５を使用して磁気テープ媒体の記録／再生を行おうとするものとする。この場合、ホストサーバ１は、使用する磁気テープドライブを適宜選択し、磁気テープ媒体の記録／再生に使用しようとして選択した磁気テープドライブ、例えば、磁気テープドライブ７が使用可能な状態にあるか否かを確認するための状態確認コマンド（Test Unit Ready コマンド）を磁気テープドライブ７に対して発行する。このコマンドは、ホストインタフェース分配機器４を介して磁気テープドライブ７に対して直接渡される。
【００２３】
磁気テープドライブ７は、自己の準備が完了していることをホストサーバ１に対して応答する。磁気テープドライブ７からの応答を受け取ったホストサーバ１は、磁気テープライブラリ装置５に対して、磁気テープ媒体の磁気テープドライブ７への搬送要求コマンド（Move Medium コマンド）を発行する。
【００２４】
搬送要求を受けた磁気テープライブラリ装置５は、制御部６内のライブラリ制御手段６ａが、搬送機構１１を用いて、要求された磁気テープ媒体を収納棚１４の目的位置から取り出して磁気テープドライブ７へ搬送する。
【００２５】
磁気テープドライブ７は、搬送された磁気テープ媒体が挿入されることにより、磁気テープ媒体のローディング処理を行う。
【００２６】
要求された磁気テープ媒体の磁気テープドライブ７への搬送が完了すると、ライブラリ制御手段６ａは、ホストインタフェース分配機器４を介してホストサーバ１に対して要求されたコマンドの完了を報告する。
【００２７】
コマンドの完了報告を受け取ったホストサーバ１は、アプリケーションソフトウェアを用いて、磁気テープドライブ７へのデータ記録／再生コマンドを送信し、磁気テープドライブ７に磁気テープ媒体へのデータ記録／再生を行わせる。そして、磁気テープ媒体へのデータ記録／再生が終了すると、ホストサーバ１は、磁気テープライブラリ装置５に対して、磁気テープ媒体の収納棚１４への搬送要求コマンド（Move Medium コマンド）を発行する。
【００２８】
前述の搬送要求を受けた磁気テープライブラリ装置５内のライブラリ制御手段６ａは、搬送機構１１を用いて、要求された磁気テープ媒体を磁気テープドライブ７から取り出し、収納棚１４の目的位置へ搬送させる。
【００２９】
要求された磁気テープ媒体の収納棚１４への搬送が完了すると、ライブラリ制御手段６ａは、ホストインタフェース分配機器４を介してホストサーバ１に対して要求コマンドの完了を報告する。
【００３０】
図２はテーブル管理手段６ｂが作成／更新するドライブ管理テーブルの構成を示す図である。図２に示すドライブ管理テーブルは、磁気テープライブラリ装置５に備えられているテープドライブ毎のそれぞれのドライブ番号、アドレス番号、デバイス名称、媒体の有無、給電状態の各情報を備えて構成され、これらの情報は、図３に示して説明する磁気テープライブラリ装置５に電源が投入されたときの処理動作の中で取得される。
【００３１】
図３は磁気テープライブラリ装置５に電源が投入されたときの処理動作を説明するフローチャートであり、次に、これについて説明する。
【００３２】
（１）磁気テープライブラリ装置５に電源が投入されると、制御部6のライブラリ制御手段６ａは、磁気テープライブラリ装置５内の各部の初期化と診断処理とを行う（ステップＳ３１）。
【００３３】
（２）次に、ライブラリ制御手段６ａは、磁気テープライブラリ装置５内に搭載されている磁気テープドライブ７〜１０のそれぞれからアドレス番号を取得する。アドレス番号は、例えば、ファイバーチャネルのワールドワイドネームや、ＳＣＳＩ ＩＤ であり、ホストインタフェースからコマンドアクセスを行うための宛先を示す磁気テープドライブ固有の番号である（ステップＳ３２）。
【００３４】
（３）次に、ライブラリ制御手段６ａは、磁気テープライブラリ装置５内に搭載されている磁気テープドライブ７〜１０のそれぞれからデバイス名称を取得する。デバイス名称は、Inquiry コマンドによって問合せられた際に応答するデバイス名称である（ステップＳ３３）。
【００３５】
（４）次に、ライブラリ制御手段６ａは、取得した磁気テープドライブ７〜１０のそれぞれのアドレス番号、デバイス名称に加え、磁気テープドライブ７〜１０内における磁気テープ媒体の有無と磁気テープドライブ７〜１０への電源給電の有無とを付加して、テーブル管理手段６ｂへ送信する。このとき、電源給電の有無は、初期値としてＯＮとすればよい。
【００３６】
（５）テーブル管理手段６ｂは、予め磁気テープライブラリ装置５内の磁気テープドライブ７〜１０の搭載位置によって割振られたドライブ番号にライブラリ制御手段６ａから送信された情報を書き込んでドライブ管理テーブル２０１を作成する（ステップＳ３４）。
【００３７】
図４は磁気テープドライブ７〜１０に対する電源停止の処理動作を説明するフローチャートであり、次に、これについて説明する。なお、この処理は、例えば、１０分程度の一定時間間隔で起動されて実行される処理である。
【００３８】
（１）ライブラリ制御手段６ａは、処理が開始されると、ドライブ番号１から順にテーブル管理手段６ｂ内のドライブ管理テーブル２０１を参照する。参照したドライブ番号のテープドライブに媒体があるか否かをドライブ管理テーブル２０１の媒体有無の情報により判定する（ステップＳ４１、Ｓ４２）。
【００３９】
（２）ステップＳ４２の判定で、参照したドライブ番号のテープドライブに媒体がなかった場合、ライブラリ制御手段６ａは、その磁気テープドライブが、ホストサーバからのアクセスが行われていないと判断し、その磁気気テープドライブの給電の有無を、ドライブ管理テーブル２０１の給電状態のＯＮ、ＯＦＦにより判定する（ステップＳ４３）。
【００４０】
（３）ステップＳ４３の判定で、給電状態がＯＮであった場合、その磁気テープドライブに対しては、電源給電の停止可能と判断し、ライブラリ制御手段６ａは、電源給電制御手段６ｃに対して、その磁気テープドライブの電源停止を要求する。これにより、電源給電制御手段６ｃは、電源給電スイッチをＯＦＦとすることにより、その磁気テープドライブへの電源の給電を停止する（ステップＳ４４）。
【００４１】
（４）その後、ライブラリ制御手段６ａは、その磁気テープドライブの電源給電が停止されたことをテーブル管理手段６ｂへ送信してドライブ管理テーブル２０１を更新させた後、その磁気テープドライブが最後のドライブ番号であるか否かを判定し、最後のドライブ番号であった場合、ここでの処理を終了する（ステップＳ４６）。
【００４２】
（５）ステップＳ４２の判定で、参照したドライブ番号のテープドライブに媒体がなあった場合、ステップＳ４３の判定で、給電状態がＯＦＦであった場合、あるいは、ステップＳ４６の判定で、その磁気テープドライブが最後のドライブ番号ではなかった場合、ドライブ番号に１を加え、ステップＳ４１からの処理の戻って、次の磁気テープドライブに対する処理を繰り返す（ステップ４７）。
【００４３】
本発明の実施形態は、前述したような処理を行うことによって、ホストサーバから使用されていない磁気テープドライブに対する電源給電を停止することができ、不要な電力を削減することができ、磁気テープライブラリ装置の省電力化を図ることができる。
【００４４】
図５は磁気テープドライブへの電源投入及び磁気テープ媒体の搬送の処理動作を説明するフローチャートであり、次に、これについて説明する。ここで説明する処理は、ホストサーバの１つであるホストサーバ１が電源給電が停止されている磁気テープドライブ、ここでは磁気テープドライブ８に対し、磁気テープ媒体へのデータの記録／再生を要求した場合の処理である。なお、すでに説明したように、ホストサーバ１は、予め磁気テープライブラリ装置５に対して装置構成情報取得コマンド（Read Element Status コマンド）を発行して、磁気テープライブラリ装置５内の磁気テープドライブ７〜１０の位置と収納棚１４内の磁気テープ媒体の位置情報とを取得し、取得したそれらの情報をアプリケーションソフトウェアによって管理しているものとする。
【００４５】
（１）ホストサーバ１は、磁気テープ媒体の記録／再生に使用しようとしている適宜選択した磁気テープドライブ８が使用可能な状態にあるか否か、すなわち、電源がＯＮとされているか否かを確認するための状態確認コマンド（Test Unit Ready コマンド）を磁気テープドライブ８に対して発行する（ステップＳ５１）。
【００４６】
（２）前述の状態確認コマンドが、ドライブ管理テーブル２０１内の給電状態がＯＦＦの磁気テープドライブのアドレス番号宛てであった場合、その磁気テープドライブは、電源ＯＦＦとなっていて、自身で応答することができないので、ライブラリ制御手段６ａが、代理応答する。代理応答するには、予め磁気テープドライブ８のアドレス番号が判っていればよく、かつ、ホストインタフェース分配機器４により相互に接続されているためライブラリ制御手段６ａによる応答は容易である。この場合の代理応答の内容は、例えば、自磁気テープドライブが空きであり使用可能である等であってよい（ステップＳ５２）。
【００４７】
（３）前述の応答を受け取ったホストサーバ１は、磁気テープライブラリ装置５に対して、磁気テープ媒体の磁気テープドライブ８への搬送要求コマンド（Move Medium コマンド）を発行する（ステップＳ５３）。
【００４８】
（４）前述の搬送要求を受け取った磁気テープライブラリ装置５内のライブラリ制御手段６ａは、電源給電制御手段６ｃに対して、磁気テープドライブ８への電源給電開始を指示し、また、テーブル管理手段６ｂに対してドライブ管理テーブル２０１の更新を指示する（ステップＳ５４）。
【００４９】
（５）電源給電制御手段６ｃは、磁気テープドライブ８への電源の給電を開始し、また、テーブル管理手段６ｂは、ドライブ管理テーブル２０１の更新を行う（ステップＳ５５）。
【００５０】
（６）ライブラリ制御手段６ａは、搬送機構１１を用いて、要求された磁気テープ媒体を収納棚１４の目的位置から取り出し、磁気テープドライブ８へ搬送する。磁気テープドライブ８は、搬送された磁気テープ媒体が挿入されることにより、磁気テープ媒体のローディング処理を行う（ステップＳ５６）。
【００５１】
前述したステップＳ５５の処理で、磁気テープドライブ８に電源の給電が開始されたとき、磁気テープドライブ８は、まだ磁気テープ媒体が挿入されておらず、媒体のローディング時間が必要ないため短時間で起動可能で、磁気テープライブラリ装置５の内部を搬送機構１１が移動して磁気テープ媒体が搬送される時間より十分以前に起動することができ、アクセス性能に影響を与えることはない。
【００５２】
（７）ライブラリ制御手段６ａは、要求された磁気テープ媒体の磁気テープドライブ８への搬送が完了すると、ホストインタフェース分配機構を介してホストサーバ１に対して要求コマンドの完了を報告し、テーブル管理手段６ｂにドライブ管理テーブル２０１の当該磁気テープドライブ情報の更新を行わせる（ステップＳ５７、Ｓ５８）。
【００５３】
（８）コマンドの完了報告を受け取ったホストサーバ１は、アプリケーションソフトウェアを用いて、磁気テープドライブ８へデータ記録／再生コマンドを発行し、磁気テープドライブ８に磁気テープ媒体へのデータ記録／再生を行わせる（ステップＳ５９、Ｓ６０）。
【００５４】
（９）ホストサーバ１は、磁気テープドライブ８を用いた磁気テープ媒体へのデータ記録／再生の処理を終了すると、磁気テープライブラリ装置５に対して、磁気テープ媒体の収納棚１４への搬送要求コマンドを発行して、磁気テープ媒体を収納棚１４へ収納させてここでの処理を終了する（ステップＳ６１）。
【００５５】
前述した処理は、ホストサーバ１が電源給電が停止されている磁気テープドライブ８に対し、磁気テープ媒体へのデータの記録／再生を要求した場合の処理であるとして説明したが、ホストサーバは、磁気テープライブラリ装置５内の磁気テープドライブ７〜１０の位置と収納棚１４内の磁気テープ媒体の位置情報とを管理しているだけであるので、電源給電が停止されている磁気テープドライブに対して、磁気テープ媒体へのデータの記録／再生を要求するとは限らず、他のホストサーバが使用している磁気テープドライブに対して、磁気テープ媒体へのデータの記録／再生を要求するコマンドを発行してしまうこともある。この場合、要求を受けた磁気テープドライブは、他のホストサーバから使用されている状態であり、要求に応ずることができないという応答を返す。この応答を受けたホストサーバは、管理している磁気テープドライブの情報に基づいて、別の磁気テープドライブに対して、磁気テープ媒体へのデータの記録／再生を要求するコマンドを発行して、使用可能な磁気テープドライブを見つけることになる。
【００５６】
前述した本発明の実施形態によれば、磁気テープ媒体が挿入されていない（ホストサーバからアクセスされていない）磁気テープドライブの電源給電を停止し、ホストサーバからの要求があった場合にアクセス性能を低下させることなく磁気テープドライブの電源給電を開始させることができ、これにより、磁気テープライブラリ装置の省電力化を図ることができる。
【００５７】
また、前述した本発明の実施形態によれば、ホストサーバの電源制御と連携した電源停止／電源投入を行う必要が無く、他の業務にホストサーバが使用されていても、磁気テープライブラリ装置の電源を単独でＯＦＦとすることができる。
【符号の説明】
【００５８】
１〜３  ホストサーバ
４  ホストインタフェース分配機器
５  磁気テープライブラリ装置
６  制御部
６ａ  ライブラリ制御手段
６ｂ  テーブル管理手段
６ｃ  電源給電制御手段
７〜１０  磁気テープドライブ
１１〜１３  媒体搬送機構
１４  収納棚
２０１  ドライブ管理テーブル
【図１】
2011123934.tif 000003
【図２】
2011123934.tif 000004
【図３】
2011123934.tif 000005
【図４】
2011123934.tif 000006
【図５】
2011123934.tif 000007